(57)【特許請求の範囲】
【請求項１】
第１の共振子と、
前記第１の共振子に対して直列に接続している第２の共振子と、
前記第１の共振子に対して並列に接続している可変容量と、
を備えた可変共振回路であって、
前記第１の共振子の共振周波数と前記第２の共振子の共振周波数は、前記第１の共振子の反共振周波数および前記第２の共振子の反共振周波数よりも低周波数側にあり、
前記第１の共振子の反共振周波数は、前記第２の共振子の共振周波数と反共振周波数との間にあり、
前記可変共振回路は、
前記第１の共振子の共振周波数に対応する第１共振点と、
当該第１共振点よりも高周波数側かつ前記第２の共振子の反共振周波数よりも低周波数側にある第２共振点と、
前記第１共振点よりも高周波数側かつ前記第２共振点よりも低周波数側にある第１反共振点と、
前記第２の共振子の反共振周波数に対応する第２反共振点と、
を有し、
前記第１反共振点の周波数および前記第２共振点の周波数は、前記可変容量の容量値の変化に伴って同時に同じ周波数の方向に変化する、
可変共振回路。
【請求項２】
第１の共振子と、
前記第１の共振子に対して直列に接続している第２の共振子と、
前記第２の共振子に対して並列に接続している可変容量と、
を備えた可変共振回路であって、
前記第１の共振子の共振周波数と前記第２の共振子の共振周波数は、前記第１の共振子の反共振周波数および前記第２の共振子の反共振周波数よりも低周波数側にあり、
前記第１の共振子の反共振周波数は、前記第２の共振子の共振周波数と反共振周波数との間にあり、
前記可変共振回路は、
前記第１の共振子の共振周波数に対応する第１共振点と、
当該第１共振点よりも高周波数側かつ前記第２の共振子の反共振周波数よりも低周波数側にある第２共振点と、
前記第１の共振子の反共振周波数に対応する第１反共振点と、
当該第１反共振点よりも高周波数側かつ前記第２の共振子の反共振周波数よりも低周波数側にある第２反共振点と、
を有し、
前記第２共振点の周波数および前記第２反共振点の周波数は、前記可変容量の容量値の変化に伴って同時に同じ周波数の方向に変化する、
可変共振回路。
【請求項３】
前記可変容量は、前記第１の共振子と前記第２の共振子との直列回路に対して並列に接続している、
請求項２に記載の可変共振回路。
【請求項４】
前記第２の共振子に対して並列に接続している可変容量を第２の可変容量として、
前記第２の可変容量とは別に、前記第１の共振子に対して並列に接続している第１の可変容量を備え、
前記第１の共振子および前記第１の可変容量の並列回路と、前記第２の共振子および前記第２の可変容量の並列回路と、を直列に接続している、
請求項２に記載の可変共振回路。
【請求項５】
前記可変容量とは別に、前記第１の共振子および前記第２の共振子に対して直列に接続している第３の可変容量を更に備える、
請求項１乃至請求項４のいずれかに記載の可変共振回路。
【請求項６】
前記第３の可変容量は、前記第１の共振子または前記第２の共振子と前記可変容量との並列回路に対して直列に接続している、請求項５に記載の可変共振回路。
【請求項７】
第１の共振子と、
前記第１の共振子に対して直列に接続している第２の共振子と、
前記第１の共振子および前記第２の共振子に対して直列に接続している可変容量と、
を備えた可変共振回路であって、
前記第１の共振子の共振周波数と前記第２の共振子の共振周波数は、前記第１の共振子の反共振周波数および前記第２の共振子の反共振周波数よりも低周波数側にあり、
前記第１の共振子の反共振周波数は、前記第２の共振子の共振周波数と反共振周波数との間にあり、
前記可変共振回路は、
前記第１の共振子の共振周波数より高周波数側かつ前記第１の共振子の反共振周波数より低周波数側にある第１共振点と、
前記第１の共振子の反共振周波数より高周波数側かつ前記第２の共振子の反共振周波数より低周波数側にある第２共振点と、
前記第１の共振子の反共振周波数に対応する第１反共振点と、
前記第２の共振子の反共振周波数に対応する第２反共振点と、
を有し、
前記第１共振点の周波数および前記第２共振点の周波数は、前記可変容量の容量値の変化に伴って同時に同じ周波数の方向に変化する
可変共振回路。
【請求項８】
入力端子および出力端子と、
前記入力端子と前記出力端子との間に１段以上にわたって接続した共振回路と、
を備え、
前記共振回路は、請求項１乃至請求項７のいずれかに記載の可変共振回路を含む、
可変フィルタ回路。
【発明の詳細な説明】
【技術分野】
【０００１】
本発明は、共振子に接続した可変容量の制御により共振周波数を調整可能にした可変共振回路、および、入出力端子間に可変共振回路を１段以上接続してフィルタ特性を調整可能にした可変フィルタ回路に関する。
【背景技術】
【０００２】
従来の可変フィルタ回路として、共振子をラダー型に接続し、共振子のそれぞれに対して可変容量を直列および並列に接続したものが利用されている（例えば、特許文献１参照。）。各共振子は、インピーダンスが極小化する周波数（以下、共振周波数または共振点という。）を有しており、共振子に直列接続される可変容量は、可変フィルタ回路の共振点を制御するために設けられている。また、共振子は、インピーダンスが極大化する周波数（以下、反共振周波数または反共振点という。）を有しており、共振子に並列接続される可変容量は、可変フィルタ回路の反共振点を制御するために設けられている。該可変フィルタ回路では、共振子に並列接続した可変容量と、共振子に直列接続した可変容量とをそれぞれ制御することにより、フィルタ特性上で通過帯域と阻止帯域との間の減衰特性を調整することや、通過帯域や阻止帯域の帯域調整を行うことができる。
【先行技術文献】
【特許文献】
【０００３】
【特許文献１】特開２００９−１３０８３１号公報
【発明の概要】
【発明が解決しようとする課題】
【０００４】
従来の可変フィルタ回路においては、各共振子の共振点および反共振点をそれぞれ調整するために可変容量を２つ接続する必要があり、回路全体として多数の可変容量が必要であった。このため、多数の可変容量を個別に制御する複雑な制御システムが必要となっていた。その上、可変容量は他の回路素子に比べて素子サイズが大きく、従来の可変フィルタ回路は回路サイズが大きくなる傾向があった。
【０００５】
したがって、従来の可変フィルタ回路において、共振子に接続する２つの可変容量のうちの一方を省くことが考えられる。しかしながら、２つの可変容量のうち、一方は共振点の調整に対応しており、他方は反共振点の調整に対応している。このため、２つの可変容量のうちの一方を省くようにすると、共振点と反共振点とのうちの一方しか調整することができなくなってしまう。このためフィルタ特性において、例えば、通過帯域や阻止帯域を帯域調整する際には、通過帯域と阻止帯域との間での減衰特性が大きく変化してしまい、所望の減衰特性が得られる調整範囲が狭くなり易かった。また例えば、通過帯域や阻止帯域の調整可能な周波数範囲自体も狭くなり易かった。
【０００６】
そこで、本発明の目的は、可変容量の数を抑制することができ、また、一つの可変容量の制御によって共振点や反共振点を複数同時に調整することができる可変共振回路および可変フィルタ回路を提供することにある。
【課題を解決するための手段】
【０００７】
この発明の可変共振回路は、第１の共振子と、前記第１の共振子に対して直列に接続している第２の共振子と、前記第１の共振子に対して並列に接続している可変容量とを備え、前記第１の共振子の共振周波数と前記第２の共振子の共振周波数は、前記第１の共振子の反共振周波数および前記第２の共振子の反共振周波数よりも低周波数側にあり、前記第１の共振子の反共振周波数は、前記第２の共振子の共振周波数と反共振周波数との間にある。
【０００８】
この可変共振回路では、第１の共振子と第２の共振子とが直列に接続されているので、インピーダンス特性上に第１の共振子や第２の共振子の共振周波数に対応する共振点が生じるとともに、第１の共振子の反共振周波数に対応する第１の反共振点、および、第２の共振子の反共振周波数に対応する第２の反共振点が生じる。また、第１の共振子の反共振周波数が第２の共振子の共振周波数と反共振周波数との間にあるので、第１の反共振点と第２の反共振点との間の周波数帯域では、第１の共振子の容量性インピーダンスと第２の共振子の誘導性インピーダンスとの合成により、インピーダンス特性上に新たな共振点（以下、副共振点と称する。）が生じる。そして、第１の共振子に並列接続される可変容量を制御すると、インピーダンス特性上で第１の反共振点の周波数が動くとともに、副共振点の周波数が第１の反共振点に従って動く。これにより１つの可変容量の制御によって、第１の反共振点の周波数と副共振点の周波数とを同時に調整することができる。
【０００９】
または、この発明の可変共振回路は、第１の共振子と、前記第１の共振子に対して直列に接続している第２の共振子と、前記第２の共振子に対して並列に接続している可変容量とを備え、前記第１の共振子の共振周波数と前記第２の共振子の共振周波数は、前記第１の共振子の反共振周波数および前記第２の共振子の反共振周波数よりも低周波数側にあり、前記第１の共振子の反共振周波数は、前記第２の共振子の共振周波数と反共振周波数との間にある。
【００１０】
この可変共振回路では、第２の共振子に並列接続される可変容量を制御すると、インピーダンス特性上で第２の反共振点の周波数が動くとともに、副共振点の周波数が第２の反共振点に従って動く。これにより、１つの可変容量の制御によって、副共振点と第２の反共振点とを同時に調整することができる。
【００１１】
前記可変容量は、前記第１の共振子と前記第２の共振子との直列回路に対して並列に接続していてもよい。このことによって、１つの可変容量の制御により、第１の反共振点と、副共振点と、第２の反共振点とを同時に調整することができる。
【００１２】
または、前記可変共振回路は、第２の共振子に対して並列に接続している可変容量を第２の可変容量として、前記第２の可変容量とは別に、前記第１の共振子に対して並列に接続している第１の可変容量を備え、前記第１の共振子および前記第１の可変容量の並列回路と、前記第２の共振子および前記第２の可変容量の並列回路と、を直列に接続していてもよい。このことによって、第１の反共振点と、副共振点と、第２の反共振点とをより高い自由度で調整することができる。
【００１３】
上述の各可変共振回路は、前記可変容量とは別に、前記第１の共振子および前記第２の共振子に対して直列に接続している第３の可変容量を更に備えてもよい。このような第３の可変容量を制御すると、第１の共振子や第２の共振子の共振周波数に対応する共振点も調整することが可能になる。また、前記第３の可変容量は、前記共振子と前記可変容量との並列回路に対して、直列に接続していることが好ましい。このようにすると、第１の可変容量の制御による副共振点の調整にほとんど影響を与えることなく、第１の共振子や第２の共振子の共振周波数に対応する共振点も調整可能にできる。
【００１４】
または、この発明の可変共振回路は、第１の共振子と、前記第１の共振子に対して直列に接続している第２の共振子と、前記第１の共振子および前記第２の共振子に対して直列に接続している可変容量とを備え、前記第１の共振子の共振周波数と前記第２の共振子の共振周波数は、前記第１の共振子の反共振周波数および前記第２の共振子の反共振周波数よりも低周波数側にあり、前記第１の共振子の反共振周波数は、前記第２の共振子の共振周波数と反共振周波数との間にある。
【００１５】
この可変共振回路では、第１および第２の共振子に直列接続される可変容量を制御すると、インピーダンス特性上で第１の共振子および第２の共振子の共振点の周波数が動くとともに、副共振点の周波数が第１の共振子および第２の共振子の共振点に従って動く。これにより、１つの可変容量の制御によって、共振点と副共振点とを同時に調整することができる。
【００１６】
または、この発明の可変共振回路は、第１の共振子と、前記第１の共振子に対して並列に接続している第２の共振子と、前記第１の共振子に対して直列に接続している可変容量とを備え、前記第１の共振子の反共振周波数と前記第２の共振子の反共振周波数は、前記第１の共振子の共振周波数および前記第２の共振子の共振周波数よりも高周波数側にあり、前記第１の共振子の共振周波数は、前記第２の共振子の共振周波数と反共振周波数との間にある。
【００１７】
この可変共振回路では、第１の共振子と第２の共振子とが並列に接続されているので、インピーダンス特性上に第１の共振子の共振周波数に対応する第１の共振点、および、第２の共振子の共振周波数に対応する第２の共振点が生じるとともに、第１の共振子や第２の共振子の反共振周波数に対応する反共振点が生じる。また、第１の共振子の共振周波数が第２の共振子の共振周波数と反共振周波数との間にあるので、第２の共振点と第１の共振点との間の周波数帯域で、第１の共振子の容量性インピーダンスと第２の共振子の誘導性インピーダンスの合成により、インピーダンス特性上に新たな反共振点（以下、副反共振点と称する。）が生じる。そして、第１の共振子に直列接続される可変容量を制御すると、インピーダンス特性上で第１の共振点の周波数が動くとともに、副反共振点の周波数が第１の共振点に従って動く。これにより、１つの可変容量の制御によって、副反共振点と第１の共振点とを同時に調整することができる。
【００１８】
または、この発明の可変共振回路は、第１の共振子と、前記第１の共振子に対して並列に接続している第２の共振子と、前記第２の共振子に対して直列に接続している可変容量とを備え、前記第１の共振子の反共振周波数と前記第２の共振子の反共振周波数は、前記第１の共振子の共振周波数および前記第２の共振子の共振周波数よりも高周波数側にあり、前記第１の共振子の共振周波数は、前記第２の共振子の共振周波数と反共振周波数との間にある。
【００１９】
この可変共振回路では、第２の共振子に直列接続される可変容量を制御すると、インピーダンス特性上で第２の共振点の周波数が動くとともに、副反共振点の周波数が第２の共振点に従って動く。これにより、１つの可変容量の制御によって、第２の共振点と副反共振点とを同時に調整することができる。
【００２０】
前記可変容量は、前記第１の共振子と前記第２の共振子との並列回路に対して直列に接続していてもよい。このことによって、１つの可変容量の制御により、第１の共振点と、副反共振点と、第２の共振点とを同時に調整することができる。
【００２１】
または、前記可変共振回路は、第２の共振子に対して直列に接続している可変容量を第２の可変容量として、前記第２の可変容量とは別に、前記第１の共振子に対して直列に接続している第１の可変容量を備え、前記第１の共振子および前記第１の可変容量の直列回路と、前記第２の共振子および前記第２の可変容量の直列回路と、を並列に接続していてもよい。このことによって、第１の共振点と、副反共振点と、第２の共振点とをより高い自由度で調整することができる。
【００２２】
また、この発明の可変フィルタ回路は、入力端子および出力端子と、前記入力端子と前記出力端子との間に１段以上にわたって接続した共振回路と、を備え、前記共振回路は、可変共振回路を含むことが好ましい。
【００２３】
上述のような可変共振回路を用いて可変フィルタ回路を構成すると、可変容量の制御によって調整される共振点や反共振点に対応する通過帯域と阻止帯域とが隣接する場合には、それらの通過帯域と阻止帯域とを広い周波数範囲で帯域調整することができる。また、この場合、それらの通過帯域と阻止帯域との帯域調整を行っても、通過帯域と阻止帯域との間の減衰特性が大きく変化し難くなる。また、２つの共振点や２つの反共振点が調整される場合には、通過帯域や阻止帯域の高周波側の急峻性や低周波数側の急峻性を調整することができる。
【発明の効果】
【００２４】
本発明によれば、可変共振回路や可変フィルタ回路を構成する可変容量の数を抑制することができる。また、本発明の可変共振回路や可変フィルタ回路では、２つの共振子の共振周波数や反共振周波数の近傍に生じる共振点や反共振点に加えて、副共振点や副反共振点を生じさせることができ、一つの可変容量の制御によって、一つの共振点や反共振点だけでなく副共振点や副反共振点まで調整できる。
【図面の簡単な説明】
【００２５】
【図１】第１の実施形態に係る可変フィルタ回路の回路図である。
【図２】第１の実施形態に係る第１の共振子と第２の共振子との直列回路の回路図およびインピーダンス特性図である。
【図３】第１の実施形態に係る第１の共振子と可変容量との並列回路の回路図およびインピーダンス特性図である。
【図４】第１の実施形態に係る可変共振回路の回路図およびインピーダンス特性図である。
【図５】第１の実施形態に係る可変フィルタ回路のフィルタ特性図である。
【図６】第２の実施形態に係る可変フィルタ回路の回路図である。
【図７】第２の実施形態に係る可変共振回路のインピーダンス特性図である。
【図８】第２の実施形態に係る可変フィルタ回路のフィルタ特性図である。
【図９】第３の実施形態に係る可変フィルタ回路の回路図である。
【図１０】第３の実施形態に係る可変共振回路のインピーダンス特性図である。
【図１１】第３の実施形態に係る可変フィルタ回路のフィルタ特性図である。
【図１２】第１の変形例に係る可変共振回路の回路図である。
【図１３】第４の実施形態に係る可変フィルタ回路の回路図である。
【図１４】第４の実施形態に係る可変共振回路のインピーダンス特性図である。
【図１５】第４の実施形態に係る可変フィルタ回路のフィルタ特性図である。
【図１６】第２の変形例に係る可変共振回路の回路図である。
【発明を実施するための形態】
【００２６】
≪第１の実施形態≫
図１は、本発明の第１の実施形態に係る可変フィルタ回路１０の回路図である。
【００２７】
可変フィルタ回路１０は、可変共振回路１１を備えている。また、可変フィルタ回路１０は、入出力端子Ｐ１と入出力端子Ｐ２との間に繋がる信号ラインと、信号ラインから分岐してグランド接続端子Ｐ３に繋がるグランドラインとを備えている。可変共振回路１１は、可変フィルタ回路１０のグランドラインに直列に挿入されている。すなわち、可変フィルタ回路１０においては、入出力端子Ｐ１と入出力端子Ｐ２との間に可変共振回路１１がシャントに接続されており、入出力端子Ｐ１と入出力端子Ｐ２との間に可変共振回路１１が１段だけ接続されている。
【００２８】
なお、可変フィルタ回路１０は、入出力端子Ｐ１と入出力端子Ｐ２との間に可変共振回路１１を複数段にわたってシャントに接続して構成してもよい。また、可変フィルタ回路１０は、入出力端子Ｐ１と入出力端子Ｐ２との間に可変共振回路１１を直列に接続して構成してもよい。また、可変フィルタ回路１０は、複数の可変共振回路１１を直並列に交互に接続してラダー型の構成としてもよい。可変フィルタ回路１０は、少なくとも一つ可変共振回路１１を設けるならば、別の共振回路を追加して構成してもよく、追加する共振回路は可変共振回路１１とは異なる構成の可変共振回路であってもよい。
【００２９】
可変共振回路１１は、第１の共振子ＳＡＷ１と、第２の共振子ＳＡＷ２と、第１の可変容量Ｃ１と、を備えている。第１の共振子ＳＡＷ１は、一端側が信号ラインに接続されている。第２の共振子ＳＡＷ２は、一端側がグランド接続端子Ｐ３に接続されている。第１の共振子ＳＡＷ１の他端側と第２の共振子ＳＡＷ２の他端側とは、互いに接続されている。したがって、第１の共振子ＳＡＷ１と第２の共振子ＳＡＷ２とは、グランドラインで直列に接続されている。第１の可変容量Ｃ１は、第１の共振子ＳＡＷ１と並列に接続され、第２の共振子ＳＡＷ２に対して直列に接続されている。第１の共振子ＳＡＷ１と第２の共振子ＳＡＷ２とは、表面弾性波共振素子として構成することができる。なお、第１の共振子ＳＡＷ１と第２の共振子ＳＡＷ２とは、表面弾性波共振素子の他の共振子、例えば、バルク弾性波共振素子（ＢＡＷ）や、ＬＣ共振回路などで構成することもできる。
【００３０】
可変フィルタ回路１０および可変共振回路１１は、以上のように構成されており、可変容量の数が従来よりも少ない。したがって、可変フィルタ回路１０および可変共振回路１１は、回路サイズを抑制でき、また、可変容量の制御に要するシステムを簡易化することができる。
【００３１】
ここで、第１の共振子ＳＡＷ１と第２の共振子ＳＡＷ２との直列回路１２のインピーダンス特性について説明する。図２（Ａ）は、直列回路１２の回路図である。図２（Ｂ）は、第１の共振子ＳＡＷ１および第２の共振子ＳＡＷ２それぞれの単独でのインピーダンス特性図である。図２（Ｃ）は、直列回路１２のインピーダンス特性図である。
【００３２】
図２（Ｂ）中に実線で示すように、第１の共振子ＳＡＷ１は、インピーダンスが極小化する共振周波数と、共振周波数よりも高周波数側でインピーダンスが極大化する反共振周波数と、を有している。同様に、図２（Ｂ）中に破線で示すように、第２の共振子ＳＡＷ２も、インピーダンスが極小化する共振周波数と、共振周波数よりも高周波数側でインピーダンスが極大化する反共振周波数とを有している。
【００３３】
ここでは、第１の共振子ＳＡＷ１の共振周波数と第２の共振子ＳＡＷ２の共振周波数とは、いずれも約７５５ＭＨｚのほぼ一致する周波数となるように設定している。また、第１の共振子ＳＡＷ１の反共振周波数は、約７８５ＭＨｚとなるようにして、第１の共振子ＳＡＷ１と第２の共振子ＳＡＷ２の共振周波数（約７５５ＭＨｚ）よりも高い周波数に設定している。第２の共振子ＳＡＷ２の反共振周波数は、約８４５ＭＨｚとなるようにして、第１の共振子ＳＡＷ１と第２の共振子ＳＡＷ２の共振周波数（約７５５ＭＨｚ）、および、第１の共振子ＳＡＷ１の反共振周波数（約７８５ＭＨｚ）よりも高い周波数に設定している。
【００３４】
すなわち、第１の共振子ＳＡＷ１の共振周波数と第２の共振子ＳＡＷ２の共振周波数とは、第１の共振子ＳＡＷ１の反共振周波数および第２の共振子ＳＡＷ２の反共振周波数よりも低周波数側に設定している。また、第１の共振子ＳＡＷ１の反共振周波数は、第２の共振子ＳＡＷ２の共振周波数と反共振周波数との間に設定している。
【００３５】
第１の共振子ＳＡＷ１は、共振周波数の高周波側かつ反共振周波数の低周波側の周波数帯域（約７５５〜７８５ＭＨｚ）では誘導性のインピーダンスを持ち、共振周波数の低周波側の周波数帯域（〜約７５５ＭＨｚ）および反共振周波数の高周波側の周波数帯域（約７８５ＭＨｚ〜）では容量性のインピーダンスを持っている。
【００３６】
第２の共振子ＳＡＷ２も、共振周波数の高周波側かつ反共振周波数の低周波側の周波数帯域（約７５５〜８４５ＭＨｚ）では誘導性のインピーダンスを持ち、共振周波数の低周波側の周波数帯域（〜約７５５ＭＨｚ）および反共振周波数の高周波側の周波数帯域（約８４５ＭＨｚ〜）では容量性のインピーダンスを持っている。
【００３７】
これらのようなインピーダンス特性を有する第１の共振子ＳＡＷ１と第２の共振子ＳＡＷ２とを直列に接続した直列回路１２は、第１の共振子ＳＡＷ１のインピーダンス特性と第２の共振子ＳＡＷ２のインピーダンス特性とを合成した図２（Ｃ）中に実線で示すインピーダンス特性を有している。
【００３８】
具体的には、図２（Ｃ）中に実線で示す直列回路１２のインピーダンス特性では、第１の共振子ＳＡＷ１および第２の共振子ＳＡＷ２の共振周波数と一致する周波数約７５５ＭＨｚに、インピーダンスが極小化する共振点ｆｒ１が生じる。また、第１の共振子ＳＡＷ１の反共振周波数と一致する周波数約７８５ＭＨｚに、インピーダンスが極大化する第１の反共振点ｆａ１が生じる。また、第２の共振子ＳＡＷ２の反共振周波数と一致する周波数約８４５ＭＨｚに、インピーダンスが極大化する第２の反共振点ｆａ２が生じる。また、第１の反共振点ｆａ１と第２の反共振点ｆａ２との間では、第１の共振子ＳＡＷ１が持つ容量性のインピーダンスと第２の共振子ＳＡＷ２が持つ誘導性のインピーダンスの合成により、第１の共振子ＳＡＷ１のインピーダンス波形と第２の共振子ＳＡＷ２のインピーダンス波形とがクロスする周波数で合成のインピーダンスが極小化し、この周波数に副共振点ｆｒ２が生じる。
【００３９】
次に、第１の共振子ＳＡＷ１と可変容量Ｃ１との並列回路１３のインピーダンス特性について説明する。図３（Ａ）は、並列回路１３の回路図である。図３（Ｂ）は、並列回路１３のインピーダンス特性図である。
【００４０】
図３（Ｂ）中に示す実線は、可変容量Ｃ１の容量値を０ｐＦに調整する場合の並列回路１３のインピーダンス特性を示している。このインピーダンス特性は、第１の共振子ＳＡＷ１単独でのインピーダンス特性とほとんど等価である。この状態から、可変容量Ｃ１の容量値を増加させていくと、並列回路１３における共振周波数はほとんど変化しないが、並列回路１３における反共振周波数は次第に低周波側に動き、共振周波数に接近していく。
【００４１】
ここで、同一周波数におけるインピーダンスの変化量を注目すると、反共振周波数に近づくにつれ、可変容量Ｃ１の容量値の変化に伴うインピーダンスの変化量が大きい。このため、並列回路１３のインピーダンス波形と、図３（Ｂ）中に点線で示す第２の共振子ＳＡＷ２単独のインピーダンス波形とがクロスする周波数(以下クロス周波数という。）は、可変容量Ｃ１の容量値を増加させていくに従い、大きく低周波数側に動くことになる。
【００４２】
なお、可変容量Ｃ１の容量値が変化しても、第２の共振子ＳＡＷ２のインピーダンス波形自体はほとんど変化しない。このため、図１に示す可変フィルタ回路１０や可変共振回路１１で、可変容量Ｃ１の容量値を制御すると、副共振点ｆｒ２が上述のクロス周波数の動きと同様の動きを示すことになる。
【００４３】
次に、可変共振回路１１のインピーダンス特性について説明する。図４（Ａ）は、可変共振回路１１の回路図である。図４（Ｂ）は、可変共振回路１１のインピーダンス特性図である。
【００４４】
図４（Ｂ）中に示す実線は、可変容量Ｃ１の容量値を０ｐＦに調整する場合に対応している。このインピーダンス特性は、直列回路１２のインピーダンス特性とほとんど等価である。
【００４５】
この状態から、可変容量Ｃ１の容量値を増加させても、先に説明したように第１の共振子ＳＡＷ１に対応する共振周波数はほとんど変化しないので、図４（Ｂ）中に破線および一点鎖線で示す可変共振回路１１のインピーダンス特性においても、共振点ｆｒはほとんど変化しない。
【００４６】
また、可変共振回路１１のインピーダンス特性において、第２の共振子ＳＡＷ２の反共振周波数に対応する第２の反共振点ｆａ２も、可変容量Ｃ１の容量値を増加させたとしてもほとんど変化しない。
【００４７】
一方、先に説明したように第１の共振子ＳＡＷ１に対応する反共振周波数は、可変容量Ｃ１の容量値を増加させていくと次第に低周波側に動いていくので、図４（Ｂ）中に破線および一点鎖線で示す可変共振回路１１のインピーダンス特性においても、第１の反共振点ｆａ１が次第に低周波側に動いていく。
【００４８】
そして、先に説明したように、第１の共振子ＳＡＷ１に対応するインピーダンス波形と第２の共振子ＳＡＷ２に対応するインピーダンス波形とのクロス周波数が、可変容量Ｃ１の容量値を増加させていくに従い低周波数側に大きく動くので、図４（Ｂ）中に破線および一点鎖線で示す可変共振回路１１のインピーダンス特性においても、可変容量Ｃ１の容量値を増加させていくに従い副共振点ｆｒ２が低周波数側に大きく動くことになる。
【００４９】
したがって、この可変共振回路１１においては、単一の可変容量Ｃ１の制御によって、第１の反共振点ｆａ１と副共振点ｆｒ２とを同時に調整することができる。
【００５０】
次に、図１に示した可変フィルタ回路１０のフィルタ特性について説明する。図５は、可変フィルタ回路１０のフィルタ特性図である。
【００５１】
図５（Ａ）は、可変容量Ｃ１の容量値を０ｐＦに調整した状態に対応している。図５（Ｂ）は、可変容量Ｃ１の容量値を３ｐＦに調整した状態に対応している。図５（Ｃ）は、可変容量Ｃ１の容量値を１０ｐＦに調整した状態に対応している。
【００５２】
可変フィルタ回路１０において可変共振回路１１はグランドラインに挿入されているので、可変共振回路１１のインピーダンスが極小化する共振点ｆｒ１や副共振点ｆｒ２の近傍の周波数帯域は、可変フィルタ回路１０の阻止帯域となる。一方、可変共振回路１１のインピーダンスが極大化する第１の反共振点ｆａ１や第２の反共振点ｆａ２の近傍の周波数帯域は、可変フィルタ回路１０の通過帯域となる。
【００５３】
可変容量Ｃ１の容量値が０ｐＦである状態から可変容量Ｃ１の容量値を増加させていくと、先に説明したように第１の反共振点ｆａ１および副共振点ｆｒ２の周波数がともに低周波側に動き、その際、第１の反共振点ｆａ１と副共振点ｆｒ２との間の周波数間隔はあまり狭まらない。一方、共振点ｆｒ１と第１の反共振点ｆａ１との間の周波数間隔は大きく狭まり、また、副共振点ｆｒ２と第２の反共振点ｆａ２の間の周波数間隔は大きく拡がる。
【００５４】
したがって、この可変フィルタ回路１０では、一つの可変容量Ｃ１の制御によって、第１の反共振点ｆａ１に対応する通過帯域と、副共振点ｆｒ２に対応する阻止帯域とを帯域調整することができ、これらの帯域調整を行っても両帯域間での減衰特性の変化を抑制することができる。その上、第１の反共振点ｆａ１に対応する通過帯域と副共振点ｆｒ２に対応する阻止帯域とが同時に同方向に動くために、それらの帯域の調整可能な周波数範囲が広いものになる。
【００５５】
≪第２の実施形態≫
図６は、本発明の第２の実施形態に係る可変フィルタ回路２０の回路図である。
【００５６】
可変フィルタ回路２０は、可変共振回路２１を備えている。可変共振回路２１は、入出力端子Ｐ１と入出力端子Ｐ２との間にシャントに接続されている。また、可変共振回路２１は、第１の共振子ＳＡＷ１と、第２の共振子ＳＡＷ２と、可変容量Ｃ２と、を備えている。本実施形態では、可変容量Ｃ２は、第２の共振子ＳＡＷ２と並列に接続され、第１の共振子ＳＡＷ１に対して直列に接続されている。
【００５７】
図７（Ａ）は、第１の共振子ＳＡＷ１と第２の共振子ＳＡＷ２との直列回路のインピーダンス特性図である。
【００５８】
図７（Ａ）中に破線および一点鎖線で示すように、第１の共振子ＳＡＷ１単独のインピーダンス特性と第２の共振子ＳＡＷ２単独のインピーダンス特性とにおいて、第１の共振子ＳＡＷ１の共振周波数と第２の共振子ＳＡＷ２の共振周波数は、第１の共振子ＳＡＷ１の反共振周波数および第２の共振子ＳＡＷ２の反共振周波数よりも低周波数側に設定している。また、第１の共振子ＳＡＷ１の反共振周波数は、第２の共振子ＳＡＷ２の共振周波数と反共振周波数との間に設定している。
【００５９】
そして、図７（Ａ）中に実線で示すように、第１の共振子ＳＡＷ１と第２の共振子ＳＡＷ２との直列回路のインピーダンス特性では、第１の実施形態と同様、第１の共振子ＳＡＷ１の共振周波数と第２の共振子ＳＡＷ２の共振周波数との間に、共振点ｆｒ１が生じる。また、第１の共振子ＳＡＷ１の反共振周波数と一致する周波数に、インピーダンスが極大化する第１の反共振点ｆａ１が生じる。また、第２の共振子ＳＡＷ２の反共振周波数と一致する周波数に、インピーダンスが極大化する第２の反共振点ｆａ２が生じる。また、第１の反共振点ｆａ１と第２の反共振点ｆａ２との間で、第１の共振子ＳＡＷ１のインピーダンス波形と第２の共振子ＳＡＷ２のインピーダンス波形とがクロスする周波数に副共振点ｆｒ２が生じる。
【００６０】
図７（Ｂ）は、第２の共振子ＳＡＷ２と可変容量Ｃ２との並列回路のインピーダンス特性図である。
【００６１】
図７（Ｂ）中に示す実線は、可変容量Ｃ２の容量値を０ｐＦに調整する場合に対応している。このインピーダンス特性は、第２の共振子ＳＡＷ２単独でのインピーダンス特性とほとんど等価である。この状態から、可変容量Ｃ２の容量値を増加させていくと、共振周波数はほとんど変化しないが、反共振周波数は次第に低周波側に動き、共振周波数に接近していく。そして、第２の共振子ＳＡＷ２と可変容量Ｃ２との並列回路のインピーダンス波形と、図７（Ｂ）中に点線で示す第１の共振子ＳＡＷ１単独のインピーダンス波形とのクロス周波数は、可変容量Ｃ２の容量値を増加させていくに従い、低周波数側に大きく動くことになる。
【００６２】
なお、可変容量Ｃ２の容量値が変化しても、第１の共振子ＳＡＷ１のインピーダンス波形自体はほとんど変化しない。このため、図１に示す可変フィルタ回路２０や可変共振回路２１で、可変容量Ｃ２の容量値を制御すると、副共振点ｆｒ２が上述のクロス周波数の動きと同様の動きを示すことになる。
【００６３】
図７（Ｃ）は、可変共振回路２１のインピーダンス特性図である。
【００６４】
図７（Ｃ）中に示す実線は、可変容量Ｃ２の容量値を０ｐＦに調整する場合に対応している。このインピーダンス特性は、第１の共振子ＳＡＷ１と第２の共振子ＳＡＷ２との直列回路のインピーダンス特性とほとんど等価である。
【００６５】
この状態から、可変容量Ｃ２の容量値を増加させても、共振点ｆｒ、および、第１の共振子ＳＡＷ１の反共振周波数に対応する第１の反共振点ｆａ１は、ほとんど変化しない。一方、副共振点ｆｒ２と第２の反共振点ｆａ２とは、可変容量Ｃ２の容量値が増加するに従って、それぞれ、低周波側に動いていく。したがって、この可変共振回路２１においては、単一の可変容量Ｃ２の制御によって、副共振点ｆｒ２と第２の反共振点ｆａ２とを同時に調整することができる。
【００６６】
図８は、可変フィルタ回路２０のフィルタ特性図である。
【００６７】
図８（Ａ）は、可変容量Ｃ２の容量値を０ｐＦに調整した状態に対応している。図８（Ｂ）は、可変容量Ｃ２の容量値を３ｐＦに調整した状態に対応している。図８（Ｃ）は、可変容量Ｃ２の容量値を１０ｐＦに調整した状態に対応している。
【００６８】
可変フィルタ回路２０において可変共振回路２１はグランドラインに挿入されているので、可変共振回路２１のインピーダンスが極小化する共振点ｆｒ１や副共振点ｆｒ２の近傍の周波数帯域は、可変フィルタ回路２０の阻止帯域となる。一方、可変共振回路２１のインピーダンスが極大化する第１の反共振点ｆａ１や第２の反共振点ｆａ２の近傍の周波数帯域は、可変フィルタ回路２０の通過帯域となる。したがって、可変容量Ｃ２の容量値を制御することで、副共振点ｆｒ２に対応する阻止帯域と第２の反共振点ｆａ２に対応する通過帯域とを調整することができる。副共振点ｆｒ２に対応する阻止帯域と第２の反共振点ｆａ２に対応する通過帯域とが同時に同方向に動くために、それらの帯域の調整可能な周波数範囲が広いものになる。
【００６９】
≪第３の実施形態≫
図９は、本発明の第３の実施形態に係る可変フィルタ回路３０の回路図である。
【００７０】
可変フィルタ回路３０は、可変共振回路３１を備えている。可変共振回路３１は、入出力端子Ｐ１と入出力端子Ｐ２との間にシャントに接続されている。また、可変共振回路３１は、第１の共振子ＳＡＷ１と、第２の共振子ＳＡＷ２と、可変容量Ｃ３と、を備えている。本実施形態では、可変容量Ｃ３は、第１の共振子ＳＡＷ１と第２の共振子ＳＡＷ２とに直列に接続されている。
【００７１】
図１０（Ａ）は、第１の共振子ＳＡＷ１と第２の共振子ＳＡＷ２との直列回路のインピーダンス特性図である。
【００７２】
図１０（Ａ）中に破線および一点鎖線で示すように、第１の共振子ＳＡＷ１のインピーダンス特性と第２の共振子ＳＡＷ２のインピーダンス特性とにおいて、第１の共振子ＳＡＷ１の共振周波数と第２の共振子ＳＡＷ２の共振周波数は、第１の共振子ＳＡＷ１の反共振周波数および第２の共振子ＳＡＷ２の反共振周波数よりも低周波数側に設定している。また、第１の共振子ＳＡＷ１の反共振周波数は、第２の共振子ＳＡＷ２の共振周波数と反共振周波数との間に設定している。
【００７３】
したがって、図１０（Ａ）中に実線で示すように、第１の共振子ＳＡＷ１と第２の共振子ＳＡＷ２との直列回路のインピーダンス特性でも、第１の共振子ＳＡＷ１の共振周波数と第２の共振子ＳＡＷ２の共振周波数とが重なる周波数付近に、共振点ｆｒ１が生じる。また、第１の共振子ＳＡＷ１の反共振周波数と一致する周波数に、インピーダンスが極大化する第１の反共振点ｆａ１が生じる。また、第２の共振子ＳＡＷ２の反共振周波数と一致する周波数に、インピーダンスが極大化する第２の反共振点ｆａ２が生じる。また、第１の反共振点ｆａ１と第２の反共振点ｆａ２との間で、第１の共振子ＳＡＷ１のインピーダンス波形と第２の共振子ＳＡＷ２のインピーダンス波形とがクロスする周波数に副共振点ｆｒ２が生じる。
【００７４】
図１０（Ｂ）は、第２の共振子ＳＡＷ２と可変容量Ｃ３との直列回路のインピーダンス特性図である。
【００７５】
図１０（Ｂ）中に示す実線は、可変容量Ｃ３の容量値を十分に大きい値に調整する場合に対応している。このインピーダンス特性は、第２の共振子ＳＡＷ２単独でのインピーダンス特性とほとんど等価である。この状態から、可変容量Ｃ３の容量値を低下させていくと、この直列回路の反共振周波数はほとんど変化しないが、この直列回路の共振点は、第２の共振子ＳＡＷ２の共振周波数から次第に高周波側に動き、反共振周波数に接近していく。そして、第２の共振子ＳＡＷ２と可変容量Ｃ３との直列回路のインピーダンス波形と、図１０（Ｂ）中に点線で示す第１の共振子ＳＡＷ１単独のインピーダンス波形と、がクロスする周波数は、可変容量Ｃ３の容量値を低下させていくに従い、高周波数側に大きく動くことになる。
【００７６】
なお、可変容量Ｃ３の容量値が変化しても、第１の共振子ＳＡＷ１のインピーダンス波形自体はほとんど変化しない。このため、図９に示す可変フィルタ回路３０や可変共振回路３１で、可変容量Ｃ３の容量値を制御すると、副共振点ｆｒ２が上述のクロス周波数の動きと同様の動きを示すことになる。
【００７７】
図１０（Ｃ）は、可変共振回路３１のインピーダンス特性図である。
【００７８】
図１０（Ｃ）中に示す実線は、可変容量Ｃ３の容量値を十分に大きい値に調整する場合に対応している。このインピーダンス特性は、第１の共振子ＳＡＷ１と第２の共振子ＳＡＷ２との直列回路のインピーダンス特性とほとんど等価である。
【００７９】
この状態から、可変容量Ｃ３の容量値を低下させても、第１の反共振点ｆａ１、および、第２の反共振点は、ほとんど変化しない。一方、共振点ｆｒ１と副共振点ｆｒ２とは、可変容量Ｃ３の容量値が低下するに従って、それぞれ、高周波側に動いていく。したがって、この可変共振回路３１においては、単一の可変容量Ｃ３の制御によって、共振点ｆｒ１と副共振点ｆｒ２とを同時に調整することができる。
【００８０】
図１１は、可変フィルタ回路３０のフィルタ特性図である。
【００８１】
図１１（Ａ）は、可変容量Ｃ２の容量値を十分に大きい値に調整した状態に対応している。図１１（Ｂ）は、可変容量Ｃ３の容量値を３ｐＦに調整した状態に対応している。図１１（Ｃ）は、可変容量Ｃ３の容量値を１ｐＦに調整した状態に対応している。
【００８２】
可変フィルタ回路３０において可変共振回路３１はグランドラインに挿入されているので、可変共振回路３１のインピーダンスが極小化する共振点ｆｒ１や副共振点ｆｒ２の近傍の周波数帯域は、可変フィルタ回路３０の阻止帯域となる。一方、可変共振回路３１のインピーダンスが極大化する第１の反共振点ｆａ１や第２の反共振点ｆａ２の近傍の周波数帯域は、可変フィルタ回路３０の通過帯域となる。したがって、可変容量Ｃ３の容量値を制御することで、共振点ｆｒ１に対応する阻止帯域と副共振点ｆｒ２に対応する阻止帯域とを調整することができる。第１の反共振点ｆａ１に対応する通過帯域と第２の反共振点ｆａ２に対応する通過帯域とは変化しないため、可変容量Ｃ３の容量値を制御することで、２つの通過帯域を、高周波数側の急峻性が高い状態と、低周波数側の急峻性が高い状態とを切り替えるように調整することができる。
【００８３】
≪第１の変形例≫
図１２は、第１の変形例に係る可変共振回路の回路図である。
【００８４】
図１２（Ａ）に示す可変共振回路１１Ａは、第１の共振子ＳＡＷ１と、第２の共振子ＳＡＷ２と、可変容量Ｃ１と、を備えている。第１の共振子ＳＡＷ１と第２の共振子ＳＡＷ２とは、直列に接続されている。可変容量Ｃ１は、第１の共振子ＳＡＷ１と第２の共振子ＳＡＷ２との直列回路に対して並列に接続されている。
【００８５】
この可変共振回路１１Ａでは、可変容量Ｃ１の制御により、第１の共振子ＳＡＷ１に対応する第１の反共振点ｆａ１と、副共振点ｆｒ２と、第２の共振子ＳＡＷ２に対応する第２の反共振点ｆａ２とを同時に同方向に調整することができる。したがって、この可変共振回路１１Ａを用いて可変フィルタ回路を構成すると、第１の反共振点ｆａ１と副共振点ｆｒ２と第２の反共振点ｆａ２とに対応する通過帯域や阻止帯域を広い周波数範囲で調整することができる。さらに、調整を行っても、第１の反共振点ｆａ１と副共振点ｆｒ２と第２の反共振点ｆａ２との間で所定の減衰レベルを維持できる。
【００８６】
図１２（Ｂ）に示す可変共振回路１１Ｂ、第１の共振子ＳＡＷ１と、第２の共振子ＳＡＷ２と、第１の可変容量Ｃ１と、第２の可変容量Ｃ２と、を備えている。第１の共振子ＳＡＷ１と第２の共振子ＳＡＷ２とは、直列に接続されている。第１の可変容量Ｃ１は、第１の共振子ＳＡＷ１に対して並列、かつ、第２の共振子ＳＡＷ２に対して直列に接続されている。第２の可変容量Ｃ２は、第１の共振子ＳＡＷ１に対して直列、かつ、第２の共振子ＳＡＷ２に対して並列に接続されている。
【００８７】
この可変共振回路１１Ｂでは、第１の可変容量Ｃ１と第２の可変容量Ｃ２のそれぞれを制御することにより、第１の反共振点ｆａ１と、第２の反共振点ｆａ２と、をそれぞれ個別で調整することができる。したがって、この可変共振回路１１Ｂを用いて可変フィルタ回路を構成すると、第１の反共振点ｆａ１と、副共振点ｆｒ２と、第２の反共振点ｆａ２と、をより高い自由度で調整することができる。
【００８８】
図１２（Ｃ）に示す可変共振回路１１Ｃは、第１の共振子ＳＡＷ１と、第２の共振子ＳＡＷ２と、第１の可変容量Ｃ１と、第３の可変容量Ｃ３と、を備えている。第１の共振子ＳＡＷ１と第２の共振子ＳＡＷ２とは、直列に接続されている。第１の可変容量Ｃ１は、第１の共振子ＳＡＷ１に対して並列、かつ、第２の共振子ＳＡＷ２に対して直列に接続されている。第３の可変容量Ｃ３は、第１の共振子ＳＡＷ１および第２の共振子ＳＡＷ２に対して直列に接続されている。この可変共振回路１１Ｃでは、第３の可変容量Ｃ３を制御することにより、共振点ｆｒ１も調整することが可能になる。そして、第３の可変容量Ｃ３は、第１の共振子ＳＡＷ１と第１の可変容量Ｃ１との並列回路に対して直列に接続することで、第１の可変容量Ｃ１の制御による副共振点ｆｒ２の調整に影響を与えることがほとんど無くなる。
【００８９】
≪第４の実施形態≫
図１３は、本発明の第４の実施形態に係る可変フィルタ回路４０の回路図である。
【００９０】
可変フィルタ回路４０は、可変共振回路４１を備えている。可変共振回路４１は、入出力端子Ｐ１と入出力端子Ｐ２との間にシャントに接続されている。また、可変共振回路４１は、第１の共振子ＳＡＷ１と、第２の共振子ＳＡＷ２と、第１の可変容量Ｃ１と、を備えている。第１の共振子ＳＡＷ１と第１の可変容量Ｃ１とは直列に接続されている。第２の共振子ＳＡＷ２は、第１の共振子ＳＡＷ１と第１の可変容量Ｃ１との直列回路に対して並列に接続されている。
【００９１】
図１４（Ａ）は、第１の共振子ＳＡＷ１と第２の共振子ＳＡＷ２との並列回路のインピーダンス特性図である。
【００９２】
図１４（Ａ）中に破線および一点鎖線で示すように、第１の共振子ＳＡＷ１のインピーダンス特性と第２の共振子ＳＡＷ２のインピーダンス特性とにおいて、第１の共振子ＳＡＷ１の反共振周波数と第２の共振子ＳＡＷ２の反共振周波数は、第１の共振子ＳＡＷ１の共振周波数および第２の共振子ＳＡＷ２の共振周波数よりも高周波数側に設定している。また、第１の共振子ＳＡＷ１の共振周波数は、第２の共振子ＳＡＷ２の共振周波数と反共振周波数との間に設定している。
【００９３】
そして、図１４（Ａ）中に実線で示す、第１の共振子ＳＡＷ１と第２の共振子ＳＡＷ２との並列回路のインピーダンス特性では、第１の共振子ＳＡＷ１の反共振周波数と第２の共振子ＳＡＷ２の反共振周波数との間に、インピーダンスが極大化する反共振点ｆａ１’が生じる。また、第１の共振子ＳＡＷ１の共振周波数と一致する周波数に、インピーダンスが極小化する第１の共振点ｆｒ１’が生じる。また、第２の共振子ＳＡＷ２の共振周波数と一致する周波数に、インピーダンスが極小化する第２の共振点ｆｒ２’が生じる。また、第２の共振点ｆｒ２’と第１の共振点ｆｒ１’との間では、第１の共振子ＳＡＷ１が持つ容量性のインピーダンスと、第２の共振子ＳＡＷ２が持つ誘導性のインピーダンスとの合成により、第１の共振子ＳＡＷ１のインピーダンス波形と第２の共振子ＳＡＷ２のインピーダンス波形とがクロスする周波数で合成のインピーダンスが極大化し、この周波数に副反共振点ｆａ２’が生じる。
【００９４】
図１４（Ｂ）は、第１の共振子ＳＡＷ１と可変容量Ｃ１との直列回路のインピーダンス特性図である。
【００９５】
図１４（Ｂ）中に示す実線は、可変容量Ｃ１の容量値を十分に大きい値に調整する場合に対応している。このインピーダンス特性は、第１の共振子ＳＡＷ１単独でのインピーダンス特性とほとんど等価である。
【００９６】
この状態から、可変容量Ｃ１の容量値を低下させていくと、反共振周波数はほとんど変化しないが、共振周波数は次第に高周波側に動き、反共振周波数に接近していく。そして、第１の共振子ＳＡＷ１と可変容量Ｃ１との直列回路のインピーダンス波形と、図１４（Ｂ）中に点線で示す第２の共振子ＳＡＷ２単独のインピーダンス波形と、がクロスする周波数は、可変容量Ｃ１の容量値を低下させていくに従い、高周波数側に大きく動くことになる。
【００９７】
なお、可変容量Ｃ１の容量値が変化しても、第２の共振子ＳＡＷ２のインピーダンス波形自体はほとんど変化しない。このため、図１３に示す可変フィルタ回路４０や可変共振回路４１で、可変容量Ｃ１の容量値を制御すると、副反共振点ｆａ２’が上述のクロス周波数の動きと同様の動きを示すことになる。
【００９８】
図１４（Ｃ）は、可変共振回路４１のインピーダンス特性図である。
【００９９】
図１４（Ｃ）中に示す実線は、可変容量Ｃ１の容量値を十分に大きい値に調整する場合に対応している。このインピーダンス特性は、第１の共振子ＳＡＷ１と第２の共振子ＳＡＷ２との並列回路のインピーダンス特性とほとんど等価である。
【０１００】
この状態から、可変容量Ｃ１の容量値を低下させても、反共振点ｆａ１’、および、第２の共振点ｆｒ２’は、あまり変化しない。一方、副反共振点ｆａ２’と第１の共振点ｆｒ１’とは、可変容量Ｃ１の容量値が低下するに従って、それぞれ、高周波側に大きく動いていく。したがって、この可変共振回路４１においては、単一の可変容量Ｃ１の制御によって、副反共振点ｆａ２’と第１の共振点ｆｒ１’とを同時に調整することができる。このため、可変共振回路３１を利用して可変フィルタ回路を構成する場合には、副反共振点ｆａ２’と第１の共振点ｆｒ１’とに対応する通過帯域および阻止帯域を帯域調整することができ、その調整可能な周波数範囲を拡げることができる。
【０１０１】
図１５は、可変フィルタ回路４０のフィルタ特性図である。
【０１０２】
図１５（Ａ）は、可変容量Ｃ１の容量値を十分に大きい値に調整した状態に対応している。図１５（Ｂ）は、可変容量Ｃ１の容量値を３ｐＦに調整した状態に対応している。図１５（Ｃ）は、可変容量Ｃ１の容量値を１ｐＦに調整した状態に対応している。
【０１０３】
可変フィルタ回路４０において可変共振回路４１はグランドラインに挿入されているので、可変共振回路４１のインピーダンスが極小化する第１の共振点ｆｒ１’や第２の共振点ｆｒ２’の近傍の周波数帯域は、可変フィルタ回路４０の阻止帯域となる。一方、可変共振回路４１のインピーダンスが極大化する反共振点ｆａ１’や副反共振点ｆａ２’の近傍の周波数帯域は、可変フィルタ回路４０の通過帯域となる。
【０１０４】
したがって、可変容量Ｃ１を制御することで、副反共振点ｆａ２’に対応する阻止帯域と第１の共振点ｆｒ１’に対応する通過帯域とを、これらの阻止帯域と通過帯域との間で減衰特性を大きく変化させることなく、調整することができる。
【０１０５】
≪第２の変形例≫
図１６は、第２の変形例に係る可変共振回路の回路図である。
【０１０６】
図１６（Ａ）に示す可変共振回路４１Ａは、第１の共振子ＳＡＷ１と、第２の共振子ＳＡＷ２と、第２の可変容量Ｃ２と、を備えている。第１の共振子ＳＡＷ１と第２の共振子ＳＡＷ２とは、並列に接続されている。第２の可変容量Ｃ２は、第１の共振子ＳＡＷ１に対して並列に、第２の共振子ＳＡＷ２に対して直列に接続されている。
【０１０７】
この可変共振回路４１Ａでは、第２の可変容量Ｃ２の制御により、第２の共振子ＳＡＷ２に対応する第２の共振点ｆｒ２’と、副反共振点ｆａ２’と、を同時に同方向に調整することができる。したがって、この可変共振回路４１Ａを用いて可変フィルタ回路を構成すると、第２の共振点ｆｒ２’と副反共振点ｆａ２’とに対応する通過帯域や阻止帯域を広い周波数範囲で調整することができる。さらに、調整を行っても、第２の共振点ｆｒ２’と副反共振点ｆａ２’との間で所定の減衰レベルを維持できる。
【０１０８】
図１６（Ｂ）に示す可変共振回路４１Ｂは、第１の共振子ＳＡＷ１と、第２の共振子ＳＡＷ２と、第１の可変容量Ｃ１と、第２の可変容量Ｃ２と、を備えている。第１の共振子ＳＡＷ１と第１の可変容量Ｃ１とは、直列に接続されている。第２の共振子ＳＡＷ２と第２の可変容量Ｃ２とは、直列に接続されている。第１の共振子ＳＡＷ１と第１の可変容量Ｃ１との直列回路と、第２の共振子ＳＡＷ２と第２の可変容量Ｃ２との直列回路とは並列に接続されている。
【０１０９】
この可変共振回路４１Ｂでは、第１の可変容量Ｃ１と第２の可変容量Ｃ２のそれぞれを制御することにより、第１の共振点ｆｒ１’と第２の共振点ｆｒ２’と、をそれぞれ個別で調整することができる。したがって、この可変共振回路４１Ｂを用いて可変フィルタ回路を構成すると、第１の共振点ｆｒ１’と、副反共振点ｆａ２’と、第２の共振点ｆｒ２’と、をより高い自由度で調整することができる。
【０１１０】
図１６（Ｃ）に示す可変共振回路４１Ｃは、第１の共振子ＳＡＷ１と、第２の共振子ＳＡＷ２と、第１の可変容量Ｃ１と、を備えている。第１の共振子ＳＡＷ１と第２の共振子ＳＡＷ２とは、並列に接続されている。第１の可変容量Ｃ１は、第１の共振子ＳＡＷ１と第２の共振子ＳＡＷ２との並列回路に対して直列に接続されている。
【０１１１】
この可変共振回路４１Ｃでは、第１の可変容量Ｃ１を制御することにより、第１の共振点ｆｒ１’と、副反共振点ｆａ２’と、第２の共振点ｆｒ２’と、を同時に同方向に調整することができる。したがって、この可変共振回路４１Ｃを用いて可変フィルタ回路を構成すると、第１の共振点ｆｒ１’と、副反共振点ｆａ２’と、第２の共振点ｆｒ２’に対応する通過帯域や阻止帯域を広い周波数範囲で調整可能にできる。したがって、可変フィルタの特性をより高い自由度で調整することができる。
【０１１２】
以上に説明したように本発明は実施することができる。なお、本発明は、特許請求の範囲に記載に該当する構成であれば、上述の各実施形態で示した構成の他のどのような構成であっても実施することができる。
【符号の説明】
【０１１３】
１０，２０，３０，４０…可変フィルタ回路
１１，１１Ａ，１１Ｂ，１１Ｃ，２１，３１，４１，４１Ａ，４１Ｂ，４１Ｃ…可変共振回路
１２…直列回路
１３…並列回路
ＳＡＷ１…第１の共振子
ＳＡＷ２…第２の共振子
Ｃ１…第１の可変容量
Ｃ２…第２の可変容量
Ｃ３…第３の可変容量
【図１】
0006439328.tif 000002
【図２】
0006439328.tif 000003
【図３】
0006439328.tif 000004
【図４】
0006439328.tif 000005
【図５】
0006439328.tif 000006
【図６】
0006439328.tif 000007
【図７】
0006439328.tif 000008
【図８】
0006439328.tif 000009
【図９】
0006439328.tif 000010
【図１０】
0006439328.tif 000011
【図１１】
0006439328.tif 000012
【図１２】
0006439328.tif 000013
【図１３】
0006439328.tif 000014
【図１４】
0006439328.tif 000015
【図１５】
0006439328.tif 000016
【図１６】
0006439328.tif 000017